(57)【要約】【課題】ハンドルの高さによりノズルの底面の角度が変化可能なアプライト型電気掃除機において、絨毯上のノズルの移動性を確保しつつ、ノズルの集塵性能の低下を軽減する。【解決手段】上方にハンドル６を有する掃除機本体１の下方に、回動軸７（ａ）を介して回動自在に軸支された床ノズル９と、掃除機本体１を床面に対し略垂直にして保管するスタンド状態で、回動軸７（ａ）の後方下方に、掃除機本体１に取り付けられた自身の回動軸を有する、床面移動用のローラー８を具備し、掃除機本体１を傾斜させ、ハンドル６の高さを床面より約８０ｃｍとしたときに、ローラー８の回動軸を床ノズル９の回動軸７（ａ）の略真下に位置させると共に、この状態で床ノズル９の底面１０が、床面と略水平となるように構成したもので、絨毯等の吸い付きによりノズルを動かす力が重くならないようにできると共に、ノズルの集塵性能の低下も軽減できるようになる。【選択図】図３
2011019861.tif 000002
【特許請求の範囲】
【請求項１】
ファンモータを内蔵しモータ室排気口を形成したモータ室と、前記モータ室の上部で前記ファンモータの吸引側に位置させた集塵室と、この集塵室の上方へ突出するハンドルとを有する掃除機本体と、前記掃除機本体の下方に回動軸を介して回動自在に軸支され、前記集塵室に連通する吸込口を前部下方に設けた床ノズルと、掃除機本体を床面に対し略垂直にして保管するスタンド状態で、前記床ノズルの回動軸の後方下方に、掃除機本体に取り付けられた自身の回動軸を有する、床面移動用のローラーを具備し、掃除機本体を傾斜させて、ハンドルの高さを床面より約８０ｃｍの高さとしたときに、前記床面移動用のローラーの回動軸を前記床ノズルの回動軸の略真下に位置させると共に、この状態で前記床ノズルの吸込口を構成する底面が床面と略水平となるように構成したアプライト型電気掃除機。
【請求項２】
床ノズルの底面で、吸込口の後方に、床面と接する床ノズルローラーを回動自在に設けた請求項１記載のアプライト型電気掃除機。
【請求項３】
ファンモータを内蔵しモータ室排気口を形成したモータ室と、前記モータ室の上部で前記ファンモータの吸引側に位置させた集塵室と、この集塵室の上方へ突出するハンドルとを有する掃除機本体と、前記掃除機本体の下方に回動軸を介して回動自在に軸支され、前記集塵室に連通する吸込口を前部下方に設けた床ノズルと、掃除機本体を床面に対し略垂直にして保管するスタンド状態で、前記床ノズルの回動軸の後方下方に、掃除機本体に取り付けられた自身の回動軸を有する、床面移動用のローラーを具備し、前記床ノズルの回動軸は掃除機本体、床ノズルの一方を突出した軸、一方を孔にて構成し、掃除機本体を傾斜させて、ハンドルの高さを床面より約８０ｃｍの高さとしたときに、床ノズルの吸込口を構成する底面が床面と略水平となるように、前記床ノズルの回動軸を構成する軸、孔の内、軸を円形の形状とし、孔を長円の形状とする構成としたアプライト型電気掃除機。
【請求項４】
ファンモータを内蔵しモータ室排気口を形成したモータ室と、前記モータ室の上部で前記ファンモータの吸引側に位置させた集塵室と、この集塵室の上方へ突出するハンドルとを有する掃除機本体と、前記掃除機本体の下方に回動軸を介して回動自在に軸支され、前記集塵室に連通する吸込口を前部下方に設けた床ノズルと、掃除機本体を床面に対し略垂直にして保管するスタンド状態で、前記床ノズルの回動軸の後方下方に、掃除機本体に取り付けられた自身の回動軸を有する、床面移動用のローラーを具備し、前記床ノズルの回動軸は掃除機本体、床ノズルの一方を突出した軸、一方を孔にて構成し、掃除機本体を傾斜させて、ハンドルの高さを床面より約７０ｃｍ〜９０ｃｍの高さとしたときに、床ノズルの吸込口を構成する底面が床面と略水平となるように、前記床ノズルの回動軸を構成する、軸、孔の内、軸を円形の形状とし、孔を長円の形状とする構成としたアプライト型電気掃除機。
【請求項５】
床ノズル底面で吸込口の後方に、床面と接する床ノズルローラーを回動自在に設けた請求項３または４に記載のアプライト型電気掃除機。
【発明の詳細な説明】
【技術分野】
【０００１】
本発明は、アプライト型電気掃除機に関し、特に床ノズルの使用性、集塵性能に関するものである。
【背景技術】
【０００２】
従来のアプライト型電気掃除機の床ノズルの構成として、ハンドルの高さに応じて床ノズルの吸込口を構成する底面が床面に対して角度が変化するものがある（例えば、特許文献１参照）。
【先行技術文献】
【特許文献】
【０００３】
【特許文献１】特開平４−３７１１２４号公報
【発明の概要】
【発明が解決しようとする課題】
【０００４】
しかしながら、前記従来の構成では、床面、特に絨毯等が吸込口に吸い付いて掃除機本体を前後に移動させる際にハンドル高さを少し変えることで床面と底面とが平行とならずに吸い付きを防止し掃除機本体の移動力が軽減できるようにしたものであるが、床面と底面が水平となるのは床面からハンドルの高さがある一定の高さのみである。床ノズルの集塵性能向上には床面と底面とが水平であることが望ましいことより、従来の構成では絨毯等の吸い付きによる掃除機本体移動性は向上できるものの、集塵性能についてはある一定のハンドル高さ以外では集塵性能が低くなるという課題があった。
【０００５】
本発明は、前記従来の課題を解決するもので、絨毯等の吸い付きによる掃除機本体の移動力が重くならないと同時に床面と底面とをある一定間水平に保つことで集塵性能の向上を行うことを目的とする。
【課題を解決するための手段】
【０００６】
前記従来の課題を解決するために、本発明のアプライト型電気掃除機は、ファンモータを内蔵しモータ室排気口を形成したモータ室と、前記モータ室の上部で前記ファンモータの吸引側に位置させた集塵室と、この集塵室の上方へ突出するハンドルとを有する掃除機本体と、前記掃除機本体の下方に回動軸を介して回動自在に軸支され、前記集塵室に連通する吸込口を前部下方に設けた床ノズルと、掃除機本体を床面に対し略垂直にして保管するスタンド状態で、前記床ノズルの回動軸の後方下方に、掃除機本体に取り付けられた自身の回動軸を有する、床面移動用のローラーを具備し、掃除機本体を傾斜させて、ハンドルの高さを床面より約８０ｃｍの高さとしたときに、前記床面移動用のローラーの回動軸を前記床ノズルの回動軸の略真下に位置させると共に、この状態で前記床ノズルの吸込口を構成する底面が床面と略水平となるように構成したことを特徴とするもので、床面よりハンドルの高さが約８０ｃｍとなったときに、床面移動用のローラーの回動軸が床ノズルの回動軸の略真下となり、床ノズルの回動軸中心が床面に対して最も高い位置となる。この状態で床ノズルの底面を床面と略水平に設定することで、最も人間が物を持つ時の高さとされる約８０ｃｍの状態で床面と床ノズルの底面との水平が保つことができるようになる。またハンドル高さが８０ｃｍより少し低い状態となった場合、床面移動用のローラーが床ノズルの回動軸の真下前方方向に動き、床ノズルの回動軸が床面に近づき、これにより床ノズルは吸込口後方は床面と接した状態で前方が床面より浮く形となる。また逆にハンドル高さが８０ｃｍよりも高くなった場合も低くなる状態と同様の動きとなり、底面は床面に対して水平よりも若干角度がついてしまうが８０ｃｍの前後にて水平同様の角度の
変化となり集塵性能を確保することができるものである。
【発明の効果】
【０００７】
本発明によれば、本体ハンドルの高さによりノズルの底面の角度が変化する構成において、絨毯等の吸い付きによりノズルを動かす力が重くならないようにできると共に、絨毯等の吸い付きを弱めても、ノズルの集塵性能の低下を軽減できるアプライト型電気掃除機を提供できる。
【図面の簡単な説明】
【０００８】
【図１】本発明の実施の形態１における電気掃除機の正面図
【図２】同、電気掃除機のスタンバイ状態を示す側面外観図
【図３】同、電気掃除機の使用状態を示す第１の側面外観図
【図４】同、電気掃除機の使用状態を示す第２の側面外観図
【図５】同、電気掃除機の使用状態を示す第３の側面外観図
【図６】（ａ）同、電気掃除機の使用状態を示す第１の要部拡大側面図（ｂ）同、電気掃除機の使用状態を示す第２の要部拡大側面図（ｃ）同、電気掃除機の使用状態を示す第３の要部拡大側面図
【発明を実施するための形態】
【０００９】
第１の発明は、ファンモータを内蔵しモータ室排気口を形成したモータ室と、前記モータ室の上部で前記ファンモータの吸引側に位置させた集塵室と、この集塵室の上方へ突出するハンドルとを有する掃除機本体と、前記掃除機本体の下方に回動軸を介して回動自在に軸支され、前記集塵室に連通する吸込口を前部下方に設けた床ノズルと、掃除機本体を床面に対し略垂直にして保管するスタンド状態で、前記床ノズルの回動軸の後方下方に、掃除機本体に取り付けられた自身の回動軸を有する、床面移動用のローラーを具備し、掃除機本体を傾斜させて、ハンドルの高さを床面より約８０ｃｍの高さとしたときに、前記床面移動用のローラーの回動軸を前記床ノズルの回動軸の略真下に位置させると共に、この状態で前記床ノズルの吸込口を構成する底面が床面と略水平となるように構成したことを特徴とするもので、床面よりハンドルの高さが約８０ｃｍとなった際に、床面移動用のローラーの回動軸が床ノズルの回動軸の略真下に位置するようになり、床ノズルの回動軸中心が床面に対して位置する高さとしては、この状態が最も高い位置となる。この状態で床ノズルの底面を床面と略水平に設定することで、最も人間が物を持つ時の高さとされる約８０ｃｍの高さで床面と底面との水平が保てるようになる。また、ハンドル高さが８０ｃｍより少し低い状態となった場合、床面移動用のローラーが回動中心の真下より前方方向に動き、床ノズルの回動軸が床面に近づき、これにより床ノズルは吸込口後方は床面と接した状態で前方が床面より浮く形となる。また逆にハンドル高さが８０ｃｍよりも高くなった場合も低くなる状態と同様の動きとなり、床ノズルの底面は床面に対して水平よりも若干角度がついてしまうが８０ｃｍの前後にて水平同様の角度の変化となり集塵性能を向上することができるものである。
【００１０】
第２の発明は、第１の発明に加えて、床ノズルの底面で吸込口の後方に、床面と接する床ノズルローラーを回動自在に設けたもので、ハンドルが床面より８０ｃｍの時に掃除機本体に具備した床面移動用のローラーが床ノズルの回動軸の略真下となり、床ノズルの底面が床面と略水平となり、さらに床ノズルの底面で吸込口の後方に床ノズルローラーを設けることで、ハンドル高さが８０ｃｍより少し低い状態となった場合、床面移動用のローラーが回動中心の真下より前方方向に動き、床ノズルの回動軸が床面に近づき、これにより床ノズルは吸込口後方の床ノズルローラーが床面に接した状態のため、床ノズルローラーよりも前方が床面より離れる方向に移動する。ハンドル高さが８０ｃｍよりも高くなった場合も同様の動きとなり、床ノズルの底面は床面に対して水平よりも若干角度がついてしまうが８０ｃｍの前後にて水平同様の角度の変化となり集塵性能を向上することができ
ると共に、ハンドル高さが８０ｃｍの時に床面と底面とが略水平時に最小隙間とでき床面の傷つきを防止できるものである。
【００１１】
第３の発明は、ファンモータを内蔵しモータ室排気口を形成したモータ室と、前記モータ室の上部で前記ファンモータの吸引側に位置させた集塵室と、この集塵室の上方へ突出するハンドルとを有する掃除機本体と、前記掃除機本体の下方に回動軸を介して回動自在に軸支され、前記集塵室に連通する吸込口を前部下方に設けた床ノズルと、掃除機本体を床面に対し略垂直にして保管するスタンド状態で、前記床ノズルの回動軸の後方下方に、掃除機本体に取り付けられた自身の回動軸を有する、床面移動用のローラーを具備し、前記床ノズルの回動軸は掃除機本体、床ノズルの一方を突出した軸、一方を孔にて構成し、掃除機本体を傾斜させて、ハンドルの高さを床面より約８０ｃｍの高さとしたときに、床ノズルの吸込口を構成する底面が床面と略水平となるように、前記床ノズルの回動軸を構成する軸、孔の内、軸を円形の形状とし、孔を長円の形状とする構成としたもので、孔の形状を円形とせずに長円とすることで、ハンドル高さが変わることにより床ノズルの底面と床面の角度が変化することに対し、ある一定のハンドル高さのときに底面の角度の移動による角度変化をなくすことができ、床ノズルの床面と底面とが水平に保てるハンドル高さの範囲を広くできることで、集塵性能を向上することができるものである。
【００１２】
第４の発明は、ファンモータを内蔵しモータ室排気口を形成したモータ室と、前記モータ室の上部で前記ファンモータの吸引側に位置させた集塵室と、この集塵室の上方へ突出するハンドルとを有する掃除機本体と、前記掃除機本体の下方に回動軸を介して回動自在に軸支され、前記集塵室に連通する吸込口を前部下方に設けた床ノズルと、掃除機本体を床面に対し略垂直にして保管するスタンド状態で、前記床ノズルの回動軸の後方下方に、掃除機本体に取り付けられた自身の回動軸を有する、床面移動用のローラーを具備し、前記床ノズルの回動軸は掃除機本体、床ノズルの一方を突出した軸、一方を孔にて構成し、掃除機本体を傾斜させて、ハンドルの高さを床面より約７０ｃｍ〜９０ｃｍの高さとしたときに、床ノズルの吸込口を構成する底面が床面と略水平となるように、前記床ノズルの回動軸を構成する軸、孔の内、軸を円形の形状とし、孔を長円の形状とする構成としたもので、ハンドルの高さを床面より７０ｃｍ〜９０ｃｍの高さとしたときに、床ノズルの吸込口を構成する底面が床面と略水平となるように、孔の形状を円形としないで長円にしたもので、第３の発明同様に、床面からのハンドル高さを、最も人間が物を持つ時の高さとされる８０ｃｍを中心に７０ｃｍ〜９０ｃｍのとしたときに、床面と床ノズルの底面を水平に保つことができ集塵性能の確保ができるものである。
【００１３】
第５の発明は、第３または第４の発明に加えて、床ノズルの底面で吸込口の後方に、床面と接する床ノズルローラーを回動自在に設けたのもので、第３または第４の発明に加えて、集塵性能を向上することができると共に、ハンドル高さが８０ｃｍのときに、床面と床ノズルの底面とが略水平時に最小隙間とでき、床面の傷つきを防止できるものである。
【００１４】
以下、本発明の実施の形態について、図面を参照しながら説明する。なお、この実施の形態によって、本発明が限定されるものではない。
【００１５】
（実施の形態１）
本発明の第１の実施の形態における電気掃除機について、図１〜図６を用いて説明する。図１、図２において、１は掃除機本体で、掃除機本体１は下方にファンモーター２を収納しファンモーター２の排気を排出する排気口３を具備したモーター室４と、上方に塵埃を溜める集塵室５と、その上方にハンドル６を配置している。掃除機本体１の下方には回動軸７（ａ）と回動軸７の下方後方に床面移動用のローラー８が配置されている。次に９は床ノズルであり、床ノズル９の底面１０前方に床面の塵埃を集塵するための吸込口１１とその後方に床ノズルローラー１２、さらにその後方に回動軸７（ｂ）が配置されている
。掃除機本体１と床ノズル９はホース１３にて接続され一端を吸込口１１、他端を集塵室５に連通されている。また掃除機本体１の回動軸７（ａ）と床ノズル９の回動軸７（ｂ）により床ノズル９は掃除機本体１に傾動自在に取り付けられたものである。
【００１６】
次に図３のように、ローラー８は図２の掃除機本体１を保管状態より使用状態とするためにハンドル６を後方に倒しハンドル６の高さが床面より８０ｃｍとなったときに回動軸７の真下となるように配置したものであり、また、このとき床ノズル９の底面１０が床面と略水平となる位置に床ノズルローラー１２が配置されている。前記回動軸７（ａ）、７（ｂ）は図６のように、それぞれ掃除機本体１の回動軸７（ａ）を軸１４とし、床ノズル９の回動軸７（ｂ）を孔１５とし、掃除機本体１と床ノズル９を傾動自在に取り付けているもので、軸１４を円形、孔１５を円形とせずに長円、あるいは軸１４に対し部分的に大きく形成したものである。
【００１７】
以上のように構成された電気掃除機について、以下その動作、作用を説明する。
【００１８】
図２のように掃除機本体１は、掃除機本体１の回動軸７の下方後方に配置されたローラー８と床ノズル９に配置された床ノズルローラー１２が床面に接し掃除機本体１が立っている状態、すなわち掃除機本体１を保管する状態となっている。このとき、床ノズル９の底面１０は床面と水平ではない状態となる。次に図３の状態がハンドル６を床面より８０ｃｍの高さまで傾斜させローラー１２が回動軸７の真下となる、すなわち掃除機本体１を掃除する状態としたときである。このとき、底面１０が床面に対して水平の状態となる。ハンドル６の高さと底面１０の関連は、ハンドル６の高さにより、ローラー８が回動軸７の円弧に沿って後方より前方方向に移動する。これにより、回動軸７と床面との距離Ａがローラー８の位置すなわちハンドル６の高さにより変化する。
【００１９】
尚、ハンドル６の高さを規定するに当たり、本実施の形態では、掃除機本体１を傾斜させたとき、これに合わせてハンドル６も傾斜するが、傾斜したハンドル６の内、傾斜した際に上方を構成することになるパイプ部分の略中央内側を基準としているが、この基準に本発明が限定されるものではない。
【００２０】
次に回動軸７と床面との距離が変化するため、回動軸７に傾動自在に取り付けられた床ノズル９は常に床面と接する床ノズルローラー１２を中心に床ノズルローラー１２より後方の回動軸７が下がると床ノズルローラー１２前方の底面１０は床面より離れる方向に上がる動きとなる。すなわち、ハンドル６の床面からの高さにより、ノズル９の底面１０の床面との角度が変化する動きをするものである。このような動作をするもので、図６のように円形の軸１４に対して、孔１５を、長円あるいは一部大きく形成することで、図３、４、５のように、ハンドル６をある範囲動かしたとしても、回動軸７と床面との距離Ａが変化しないように形成したものである。この変化しない範囲を７０から８０ｃｍとし、さらにその範囲内を底面１０が床面と水平とすることで、人がハンドル６を最も持つ高さとされる８０ｃｍを中心に７０から９０ｃｍの間で集塵性能が高い底面が水平状態を保てるとともに、その他の範囲では底面１０を床面より離すことができ絨毯等の吸い付きによる操作性が重くなることを防止できる。また、ハンドル６の高さが８０ｃｍの時にローラー８を回動軸７の真下と配置することで、回動軸７の真下にローラー８が位置したときが床面と回動軸７との距離が一番離れる位置であり、逆に底面１０は床面に一番近づく位置である。この際に底面１０を水平にするため、水平状態の底面１０を集塵性能が最も発揮できる位置まで床面に近づける構成が可能となり、集塵性能の向上ができると共に、床面との隙間を確保でき、床面の傷つきを防止ができるものである。
【００２１】
また、本実施の形態の回動軸７については掃除機本体１の回動軸７（ａ）を軸１４、床ノズル９の回動軸７（ｂ）を孔１５としているが、逆の構成でも同様の効果が得られる。
また、軸１４を円形、孔１５を円形とせず、長円あるいは軸１４に対し部分的に大きく形成したとしているが、孔１５を円形、軸１４を部分的に孔１５よりも小さくして構成しても同様の効果が得られるものである。
【産業上の利用可能性】
【００２２】
以上のように、本発明に係るアプライト型電気掃除機は、ノズル吸い込み口への絨毯等の吸い付きがノズルの移動性に及ぼす悪影響を改善しつつ、ノズルの集塵性能の低下を軽減するもので、家庭用だけでなく、業務用等、幅広く、利用できるものである。
【符号の説明】
【００２３】
１  掃除機本体
２  モーター
３  排気口
５  集塵室
６  ハンドル
７（ａ）、７（ｂ）  回動軸
８  ローラー
９  床ノズル
１０  底面
１１  吸込口
１２  床ノズルローラー
１３  電源コード
１４  軸
１５  孔
【図１】
2011019861.tif 000003
【図２】
2011019861.tif 000004
【図３】
2011019861.tif 000005
【図４】
2011019861.tif 000006
【図５】
2011019861.tif 000007
【図６】
2011019861.tif 000008